(57)【要約】【課題】タンデム方式の画像形成装置において、用紙の反転機構の動作切り替えによる生産性の低下を防止する。【解決手段】複数の画像形成装置が直列的に連結され、当該複数の画像形成装置内を用紙が通過する直列タンデム方式の画像形成システムにおいて、画像形成装置各々は、用紙が格納された給紙部と、用紙の表裏を反転させる反転部と、を備え、画像形成装置各々の給紙部が給紙する用紙に対して画像が形成される用紙面の組み合わせに基づいて、画像形成装置各々の反転部の動作を設定する反転設定制御部と、画像形成装置各々の反転部の動作の設定に基づいて、画像形成装置各々において画像を形成する用紙面を設定する画像面付け制御部と、を備える画像形成システム。【選択図】図９
2012133168.tif 000002
【特許請求の範囲】
【請求項１】
複数の画像形成装置が直列的に連結され、当該複数の画像形成装置内を用紙が通過する直列タンデム方式の画像形成システムにおいて、
前記画像形成装置各々の用紙搬送方向の上流側に連結、若しくは、前記画像形成装置各々に設けられ、前記用紙が格納された給紙部と、
前記画像形成装置各々の用紙搬送方向の下流側に連結、若しくは、前記画像形成装置各々に設けられ、前記用紙の表裏を反転させる反転部と、
前記画像形成装置各々の給紙部が給紙する用紙に対して画像が形成される用紙面の組み合わせに基づいて、前記画像形成装置各々の反転部の動作を設定する反転設定制御部と、
前記画像形成装置各々の反転部の動作の設定に基づいて、前記画像形成装置各々において画像を形成する用紙面を設定する画像面付け制御部と、
を備えること、
を特徴とする画像形成システム。
【請求項２】
前記反転設定制御部は、
前記用紙の片面に画像が形成される用紙を給紙する画像形成装置の反転部の動作を、用紙の表裏を反転させる反転搬送に設定し、
前記画像面付け制御部は、
前記反転設定制御部により反転部の動作が反転搬送に設定された画像形成装置が、用紙の両面に画像が形成される用紙に対して、いずれか一方の用紙面に画像を形成する場合、
前記用紙の片面に画像が形成される用紙に対して画像を形成する用紙面と同一の用紙面を、画像を形成する用紙面に設定すること、
を特徴とする請求項１に記載の画像形成システム。
【請求項３】
前記複数の画像形成装置のうち２台の画像形成装置において、
当該２台の画像形成装置のうち用紙搬送方向の上流側に設けられた第１の画像形成装置の給紙部により用紙の両面に画像が形成される用紙が給紙され、
当該２台の画像形成装置のうち用紙搬送方向の下流側に設けられた第２の画像形成装置の給紙部により用紙の片面に画像が形成される用紙が給紙される場合、
前記反転設定制御部は、
前記第１の画像形成装置の反転部及び前記第２の画像形成装置の反転部の動作を、用紙の表裏を反転させる反転搬送に設定し、
前記画像面付け制御部は、
前記用紙の両面に画像が形成される用紙に対して、前記第１の画像形成装置では画像を形成する用紙面を裏面、前記第２の画像形成装置では画像を形成する用紙面を表面に設定すること、
を特徴とする請求項１に記載の画像形成システム。
【請求項４】
前記複数の画像形成装置のうち２台の画像形成装置において、
当該２台の画像形成装置のうち用紙搬送方向の上流側に設けられた第１の画像形成装置の給紙部により用紙の両面に画像が形成される用紙と、用紙の片面に画像が形成される用紙とが給紙され、
当該２台の画像形成装置のうち用紙搬送方向の下流側に設けられた第２の画像形成装置の給紙部により用紙の片面に画像が形成される用紙が給紙される場合、
前記反転設定制御部は、
前記第１の画像形成装置の反転部及び前記第２の画像形成装置の反転部の動作を、用紙の表裏を反転させる反転搬送に設定し、
前記画像面付け制御部は、
前記用紙の両面に画像が形成される用紙に対して、前記第１の画像形成装置では画像を形成する用紙面を裏面、前記第２の画像形成装置では画像を形成する用紙面を表面に設定し、
前記第１の画像形成装置の給紙部により給紙された前記用紙の片面に画像が形成される用紙に対して、前記第１の画像形成装置では画像形成を行なわず、前記第２の画像形成装置では画像を形成する用紙面を表面に設定すること、
を特徴とする請求項１に記載の画像形成システム。
【請求項５】
前記複数の画像形成装置のうち２台の画像形成装置において、
当該２台の画像形成装置のうち用紙搬送方向の上流側に設けられた第１の画像形成装置の給紙部により用紙の片面に画像が形成される用紙が給紙され、
当該２台の画像形成装置のうち用紙搬送方向の下流側に設けられた第２の画像形成装置の給紙部により用紙の片面に画像が形成される用紙が給紙される場合、
前記反転設定制御部は、
前記第１の画像形成装置の反転部の動作を、用紙の表裏を反転させない動作に設定し、
前記第２の画像形成装置の反転部の動作を、用紙の表裏を反転させる反転搬送に設定し、
前記画像面付け制御部は、
前記第１の画像形成装置の給紙部により給紙された前記用紙の片面に画像が形成される用紙に対して、前記第１の画像形成装置では画像を形成する用紙面を表面に設定し、前記第２の画像形成装置では画像形成を行なわず、
前記第２の画像形成装置の給紙部により給紙された前記用紙の片面に画像が形成される用紙に対して、前記第１の画像形成装置では画像形成を行なわず、前記第２の画像形成装置では画像を形成する用紙面を表面に設定すること、
を特徴とする請求項１に記載の画像形成システム。
【発明の詳細な説明】
【技術分野】
【０００１】
本発明は、画像形成システムに関する。
【背景技術】
【０００２】
用紙に画像を形成するプリンタや複写機等の複数台の画像形成装置が、用紙搬送経路が接続されることにより直列的に連結されたタンデム方式の画像形成システムが知られている。このような画像形成システムは、用紙の表裏の印刷を異なる画像形成装置で分担して行うことにより、１台の画像形成装置で両面印刷する場合と比較して、生産性を向上させることができる。
【０００３】
例えば、独立して使用可能な画像処理装置を複数連結して一体化した画像処理装置（特許文献１参照）や、給紙装置、２台の印刷装置、排紙装置から構成されており、給紙装置の給紙トレイから給紙される用紙が印刷装置内の用紙搬送経路を経由して排紙装置へ搬送されるタンデムシステム（特許文献２参照）が開示されている。
【先行技術文献】
【特許文献】
【０００４】
【特許文献１】特開昭５９−１２１０６６号公報
【特許文献２】特開２００９−３００７０３号公報
【発明の概要】
【発明が解決しようとする課題】
【０００５】
しかしながら、用紙に対する画像形成面の割りつけの多様化に伴い、両面に画像が形成される用紙と、片面に画像が形成される用紙とが混在して搬送される場合がある。このような場合、排紙トレイに積載される用紙の上面を予め設定された面（例えば、裏面）に統一して排出する技術がある。
【０００６】
例えば、自装置内に給紙トレイを有する２台の画像形成装置、排紙トレイを有する排紙装置からなるタンデム方式の画像形成システムにおいて、両面に画像が形成される用紙を、上流側の画像形成装置内の給紙トレイから給紙して当該上流側の画像形成装置により表面に画像を形成し、表裏を反転した後、下流側の画像形成装置へ搬送する。そして、当該用紙を、下流側の画像形成装置内により裏面に画像を形成して、排紙装置の排紙トレイへ排出する。この場合、両面に画像が形成された用紙は、裏面が上面となって排紙トレイ上に排出される。一方、片面に画像が形成される用紙を、下流側の画像形成装置内により表面に画像を形成して表裏を反転した後、排紙装置の排紙トレイへ排出する。この場合も、片面に画像が形成された用紙は、裏面が上面となって排紙トレイ上に排出される。
【０００７】
しかし、用紙を反転する機構に用いられている反転ローラは、用紙を反転する場合（反転搬送）と反転しない場合（ストレート搬送）とでは回転速度が異なる。そのため、ストレート搬送から反転搬送に切り替える場合には、当該反転ローラの回転速度の変更が必要となる。回転速度を切り替えて安定させるまでには時間がかかるため、用紙の搬送間隔を広げる等の時間調整が必要となり、生産性が低下するという問題が発生している。
【０００８】
本発明の課題は、上記問題に鑑みて、タンデム方式の画像形成装置において、用紙の反転機構の動作切り替えによる生産性の低下を防止することである。
【課題を解決するための手段】
【０００９】
本発明によれば、複数の画像形成装置が直列的に連結され、当該複数の画像形成装置内を用紙が通過する直列タンデム方式の画像形成システムにおいて、前記画像形成装置各々の用紙搬送方向の上流側に連結、若しくは、前記画像形成装置各々に設けられ、前記用紙が格納された給紙部と、前記画像形成装置各々の用紙搬送方向の下流側に連結、若しくは、前記画像形成装置各々に設けられ、前記用紙の表裏を反転させる反転部と、前記画像形成装置各々の給紙部が給紙する用紙に対して画像が形成される用紙面の組み合わせに基づいて、前記画像形成装置各々の反転部の動作を設定する反転設定制御部と、前記画像形成装置各々の反転部の動作の設定に基づいて、前記画像形成装置各々において画像を形成する用紙面を設定する画像面付け制御部と、を備える画像形成システムが提供される。
【発明の効果】
【００１０】
本発明によれば、タンデム方式の画像形成装置において、用紙の反転機構の動作切り替えによる生産性の低下を防止することができる。
【図面の簡単な説明】
【００１１】
【図１】画像形成システムの概略構成図である。
【図２】第１画像形成装置の概略構成図である。
【図３】第２画像形成装置の概略構成図である。
【図４】反転設定処理のフローチャートである。
【図５】第１画像形成装置において実行されるジョブ実行処理のフローチャートである。
【図６】第２画像形成装置において実行されるジョブ実行処理のフローチャートである。
【図７】第１画像形成装置において実行される画像面付け処理のフローチャートである。
【図８】第２画像形成装置において実行される画像面付け処理のフローチャートである。
【図９】本実施の形態における反転設定処理及び画像面付け処理の処理結果の一覧表を示す図である。
【発明を実施するための形態】
【００１２】
以下、図を参照して本発明の実施の形態を詳細に説明する。
まず、構成を説明する。
図１に、本実施の形態における画像形成システム１の概略構成図を示す。
図１に示すように、画像形成システム１は、用紙搬送経路の上流側から、給紙装置１０、第１画像形成装置２０、第２画像形成装置３０、後処理装置４０等が直列的に連結された直列タンデム方式の構成となっている。
【００１３】
第１画像形成装置２０、第２画像形成装置３０は、直列タンデム方式の画像形成システムを構成する画像形成装置として連結される際に、当該画像形成システムを統括的に管理するメイン装置、当該メイン装置の指示に従って稼動するサブ装置のいずれかであるかが設定される。本実施の形態では、画像形成システムを構成する複数の画像形成装置のうち、用紙搬送方向において最上流側に設けられた画像形成装置（第１画像形成装置２０）がメイン装置、メイン装置を除く画像形成装置（第２画像形成装置）がサブ装置として設定されているものとする。
【００１４】
本実施の形態における画像形成システムでは、用紙の両面に画像を形成する場合、給紙装置１０又は第１画像形成装置２０内の給紙部から搬送された用紙に画像を形成する場合と、第２画像形成装置３０内の給紙部から搬送された用紙に画像を形成する場合とがある。給紙装置１０又は第１画像形成装置２０内の給紙部から搬送された用紙に画像を形成する場合には、第１画像形成装置２０と第２画像形成装置３０とがそれぞれ異なる用紙面に画像を形成する。第２画像形成装置３０内の給紙部から搬送された用紙に画像を形成する場合には、第２画像形成装置３０により用紙の両面に画像が形成される。
【００１５】
また、用紙の片面に画像を形成する場合、給紙装置１０又は第１画像形成装置２０内の給紙部から搬送された用紙に画像を形成する場合と、第２画像形成装置３０内の給紙部から搬送された用紙に画像を形成する場合とがある。
給紙装置１０又は第１画像形成装置２０内の給紙部から搬送された用紙に画像を形成する場合には、第１画像形成装置２０又は第２画像形成装置３０のいずれか一方により用紙の片面に画像が形成される。第２画像形成装置３０内の給紙部から搬送された用紙に画像を形成する場合、第２画像形成装置３０により用紙の片面に画像が形成される。
【００１６】
給紙装置１０は、ＰＦＵ（Paper Feed Unit）と称されるものであり、複数の給紙トレイや、給紙ローラ、分離ローラ、給紙／分離ゴム、送り出しローラ等からなる給紙手段等を備える。各給紙トレイには、用紙の種類（紙種、坪量、用紙サイズ等）毎に予め識別された用紙が格納されており、用紙の最上部から一枚ずつ給紙手段により第１画像形成装置の用紙搬送部へ用紙が搬送される。給紙トレイ毎に格納されている用紙の種類の情報（用紙サイズ、紙種等）は、第１画像形成装置２０の後述する不揮発メモリ２５１に記憶されている。
本実施の形態の給紙装置１０は、第１画像形成装置２０の用紙搬送方向の上流側に直結して設けられており、第１画像形成装置の給紙部としての機能を実現する。
【００１７】
第１画像形成装置２０は、原稿から画像を読み取り、読み取った画像を用紙に画像形成したり、外部装置等からＰＤＬ（Page Description Language）形式やＴｉｆｆ形式等のページ記述言語形式のプリントデータ及びプリント設定データを受信し、受信したプリントデータ及びプリント設定データ等に基づいて画像を用紙上に画像形成したりする。第１画像形成装置２０は、画像読取部２１、操作表示部２２、プリント部２３等を備えて構成される。
【００１８】
画像読取部２１は、ＡＤＦ（Auto Document Feeder）と称される自動原稿送り部と読取部とを備え、操作表示部２２により受け付けられた設定情報に基づいて複数の原稿の画像を読み取る。自動原稿送り部の原稿トレイに載置された原稿は、読取個所であるコンタクトガラスに搬送され、光学系により原稿の片面又は両面の画像が読み取られ、ＣＣＤ（Charge Coupled Device）２１１により原稿の画像が読み取られる。ここで、画像とは、図形や写真等の画像データに限らず、文字や記号等のテキストデータ等も含む意である。
【００１９】
操作表示部２２は、ＬＣＤ（Liquid Crystal Display）２２１、ＬＣＤ２２１を覆うように設けられたタッチパネル、各種スイッチやボタン、テンキー、操作キー群等から構成される。操作表示部２２は、ユーザからの指示を受け付けその操作信号を後述する制御部２５０に出力し、また、制御部２５０から入力される表示信号に従って、各種操作指示や設定情報を入力するための各種設定画面や各種処理結果等を表示する。
【００２０】
プリント部２３は、電子写真方式の画像形成処理を行うものであり、給紙部２３１、用紙搬送部２３２、画像形成部２３３、定着部２３４等のプリント出力に係る各部を備えて構成される。
なお、本実施の形態のプリント部２３では、電子写真方式を適用した例を説明するが、これに限らず、インクジェット方式、熱昇華方式等、他のプリント方式を適用することとしてもよい。
【００２１】
給紙部２３１は、複数の給紙トレイと給紙トレイ毎に設けられた給紙ローラ、分離ローラ、給紙／分離ゴム、送り出しローラ等からなる給紙手段を備える。各給紙トレイには、用紙の種類（紙種、坪量、用紙サイズ等）毎に予め識別された用紙が格納されており、用紙の最上部から一枚ずつ給紙手段により用紙搬送部に向けて搬送される。また、給紙トレイ毎に格納されている用紙の種類の情報（用紙サイズ、紙種等）は、不揮発メモリ２５１に記憶されている。
【００２２】
用紙搬送部２３２は、給紙装置１０又は給紙部２３１から搬送された用紙を、複数の中間ローラ、レジストローラ等を経る画像形成部２３３への用紙搬送経路上に用紙を搬送し、画像形成部２３３の転写位置へと搬送し、第２画像形成装置へ搬送する。用紙は、レジストローラ２３３ａの上流側で一旦待機し、画像形成タイミングに応じて、レジストローラ２３３ａの下流側への搬送が再開される。
【００２３】
また、用紙搬送部２３２は、搬送路切替部２３２ａや反転ローラ等から構成される反転部２３２ｂを備える。反転部２３２ｂは、搬送路切替部２３２ａの切り替え動作に応じて、定着部２３４を通過した用紙の表裏を反転せずに下流側に連結された第２画像形成装置へ搬送したり、反転ローラ等によりスイッチバックして表裏反転させた後に第２画像形成装置へ搬送したりする。また、反転部２３２ｂは、定着部２３４を通過した用紙の表裏を反転させて自装置の画像形成部２３３へ再給紙する循環経路部を備えていてもよい。
【００２４】
なお、本実施の形態では、反転部２３２ｂが第１画像形成装置内に設けられている場合を例に挙げて説明するが、反転部と同等の機能を有する反転装置が第１画像形成装置の用紙搬送方向の下流側に直結して（即ち、第１画像形成装置と第２画像形成装置との間に介在されて）設けられていてもよい。
【００２５】
画像形成部２３３は、感光体ドラム、帯電装置、露光装置、現像装置、転写装置、クリーニング装置等を備え、印刷画像データに基づき、用紙面上に画像を形成する。なお、第１画像形成装置２０がカラー画像を形成するものである場合には、画像形成部２３３が色毎に設けられる。
【００２６】
画像形成部２３３では、帯電装置により帯電された感光体ドラムの表面に、露光装置から印刷画像データに応じた光が照射され静電潜像が書き込まれる。そして、静電潜像が書き込まれた感光体ドラムの表面に、帯電したトナーが現像装置により付着されて静電潜像が現像される。現像装置により感光体ドラム上に付着したトナーは、感光体ドラムが一定速度で回転されることにより、転写装置は配置された転写位置で用紙に転写される。用紙にトナーが転写された後、クリーニング装置により、感光体ドラムの表面の残留電荷や残留トナー等が除去され、除去されたトナー等はトナー回収箱へ回収される。
【００２７】
定着部２３４は、定着ヒータ、定着ローラ、定着外部加熱部等から構成され、用紙に転写されたトナー像を熱定着する。
【００２８】
第２画像形成装置３０は、プリント部３３等を備えて構成され、第１画像形成装置２０と協働して用紙面上に画像を形成する。
なお、第２画像形成装置３０が備えるプリント部３３は、第１画像形成装置２０が備えるプリント部２３と同様に、給紙部３３１、反転部３３２ｂを備えた用紙搬送部、画像形成部、定着部等のプリント出力に係る各部を備えて構成されているため、説明は省略する。
【００２９】
なお、本実施の形態では、給紙部３３１が第２画像形成装置内に設けられている場合を例に挙げて説明するが、当該給紙部３３１と同等の機能を有する給紙装置が第２画像形成装置の用紙搬送方向の上流側に直結して（即ち、第１画像形成装置と第２画像形成装置との間に介在されて）設けられていてもよい。また、反転部３３２ｂが第２画像形成装置内に設けられている場合を例に挙げて説明するが、当該反転部３３２ｂと同等の機能を有する反転装置が第２画像形成装置の用紙搬送方向の下流側に直結して（即ち、第２画像形成装置と後処理装置との間に介在されて）設けられていてもよい。
【００３０】
後処理装置４０は、ソート部、ステイプル部、パンチ部、折り部等の各種後処理部と、排紙トレイ等を備え、第２画像形成装置３０から搬送された用紙に対して各種後処理を施し、後処理が施された用紙を排紙トレイに排出する。
【００３１】
図２に、本実施の形態における第１画像形成装置２０の概略構成図を示す。
図２に示すように、第１画像形成装置２０は、画像読取部２１、操作表示部２２、プリント部２３、コントローラ２４、画像制御基板２５、通信部２６等を備えて構成されている。第１画像形成装置２０は、コントローラ２４のＬＡＮＩＦ（Local Area Network InterFace）２４４を介してネットワーク３上の外部装置２と相互にデータが送受信可能に接続されている。
【００３２】
画像読取部２１は、上述した自動原稿送り部及び読取部と、画像読取制御部２１０とを備える。画像読取制御部２１０は、制御部２５０からの指示に基づいて自動原稿送り部及び読取部等を制御して、複数の原稿の画像を読み取るスキャナ機能を実現させる。画像読取部２１により読み取られたアナログ画像データは、読取処理部２５３に出力され、読取処理部２５３においてＡ／Ｄ変換され各種画像処理が施される。
【００３３】
操作表示部２２は、上述したＬＣＤ２２１やタッチパネル等と、操作表示制御部２２０とを備える。操作表示制御部２２０は、制御部２５０から入力される表示信号に従って、各種設定条件を入力するための各種画面や各種処理結果等をＬＣＤに表示させる。また、操作表示制御部２２０は、各種スイッチやボタン、テンキー、操作キー群又はタッチパネル等から入力される操作信号を制御部２５０に出力する。
【００３４】
プリント部２３は、上述した給紙部２３１、用紙搬送部２３２、画像形成部２３３、定着部２３４等のプリント出力に係る各部と、プリント制御部２３０とを備える。プリント制御部２３０は、制御部２５０からの指示に従って画像形成部２３３等のプリント部２３の各部の動作を制御し、書込処理部２５８から入力された印刷画像データに基づいて画像形成を行わせる。
【００３５】
コントローラ２４は、ネットワーク３に接続される外部装置２から画像形成システム１に入力されるデータの管理及び制御を行うものであり、外部装置２からプリント対象のデータ（プリントデータ及びプリント設定データ）を受信し、当該プリントデータを展開して生成した画像データとプリント設定データとを画像制御基板２５へ送信する。
コントローラ２４は、コントローラ制御部２４１、ＤＲＡＭ（Dynamic Random Access Memory）制御ＩＣ２４２、画像メモリ２４３、ＬＡＮＩＦ２４４等から構成される。
【００３６】
コントローラ制御部２４１は、コントローラ２４各部の動作を統括的に制御し、ＬＡＮＩＦ２４４を介して外部装置２から入力されるプリントデータを展開してビットマップ形式の画像データの生成を行う。
【００３７】
ＤＲＡＭ制御ＩＣ２４２は、ＬＡＮＩＦ２４４により受信されたプリントデータのコントローラ制御部２４１への転送や、画像メモリ２４３に対する画像データ及びプリント設定データの書き込み／読み出しを制御する。また、ＤＲＡＭ制御ＩＣ２４２は、画像制御基板２５のＤＲＡＭ制御ＩＣ２５５とＰＣＩ（Peripheral Components Interconnect）バスで接続されており、コントローラ制御部２４１からの指示に従って、プリント対象の画像データ及びプリント設定データを画像メモリ２４３から読み出してＤＲＡＭ制御ＩＣ２５５に出力する。
【００３８】
画像メモリ２４３は、ＤＲＡＭ等の揮発性メモリから構成され、画像データ及びプリント設定データを一時的に記憶する。
【００３９】
ＬＡＮＩＦ２４４は、ＮＩＣ（Network Interface Card）やモデム等のＬＡＮ等のネットワーク３に接続するための通信インターフェイスであり、外部装置２からプリントデータやプリント設定データを受信する。受信されたプリントデータやプリント設定データは、ＤＲＡＭ制御ＩＣ２４２に出力される。
【００４０】
画像制御基板２５は、制御部２５０、不揮発メモリ２５１、ＲＡＭ（Random Access Memory）２５２、読取処理部２５３、圧縮ＩＣ２５４、ＤＲＡＭ制御ＩＣ２５５、画像メモリ２５６、伸長ＩＣ２５７、書込処理部２５８等を備える。
【００４１】
制御部２５０は、ＣＰＵ（Central Processing Unit）等から構成され、不揮発メモリ２５１に記憶されているシステムプログラム及び各種アプリケーションプログラムの中から指定されたプログラムを読み出してＲＡＭ２５２に展開し、ＲＡＭ２５２に展開されたプログラムとの協働で、各種処理を実行し、第１画像形成装置２０の各部を集中制御する。
【００４２】
また、第１画像形成装置がメイン装置に設定されていることから、制御部２５０は、画像形成システム１を構成する各装置から、各装置の状態を示す信号を通信部２６を介して受信し、当該各装置の状態を示す信号に基づいて画像形成システム１全体を統括的に制御する。例えば、第２画像形成装置内でのエラー（ＪＡＭ発生、用紙切れ、トナー不足等）を示す信号を受信した場合には、当該エラーに応じた表示信号や動作指示信号を生成し、操作表示部２２や第２画像形成装置等に生成した信号を送信する。
【００４３】
また、制御部２５０は、外部装置２からコントローラ２４を介して入力された画像データ及びプリント設定データ、又は、画像読取部２１から入力された画像データ及び操作表示部２２により設定された設定情報、に基づいてジョブデータ及び圧縮画像データを生成する。そして、制御部２５０は、生成したジョブデータ及び圧縮画像データに基づいて、第２画像形成装置３０と協働してジョブを実行する。
【００４４】
ジョブとは、画像形成に関する一連の動作であり、例えば、所定ページの原稿からなる複写物を作成する場合には、所定ページの原稿の画像形成に関する一連の動作が１ジョブである。このジョブの動作を実行するためのデータがジョブデータである。
【００４５】
ジョブデータは、ジョブ情報とページ情報とを含む。
ジョブ情報は、全ページに共通する情報である。例えば、ジョブ情報は、ジョブの設定部数、排紙トレイ、応用機能（集約、リピート等）、カラー／モノクロ等を含む。
ページ情報は、各ページの圧縮画像データと関連付けられており、関連付けられた圧縮画像データに係る情報である。例えば、ページ情報は、ページ番号、画像サイズ（縦、横）、画像の向き、画像の幅、画像の回転角度、画像が形成される用紙の種類、当該用紙が格納されている給紙トレイ、プリントモード（両面／片面）、圧縮画像データの格納アドレス等を含む。
【００４６】
また、制御部２５０は、ジョブを実行する際に、不揮発メモリ２５１から本実施の形態に係る反転設定処理プログラム、画像面付け処理プログラム、当該プログラム及び各種データとの協働により、反転設定処理、画像面付け処理を実行し、反転設定制御部、画像面付け制御部としての機能を実現する。
【００４７】
反転設定処理では、画像形成装置各々の給紙部が給紙する用紙に対して画像が形成される用紙面（片面／両面）の組み合わせに基づき、画像形成装置各々の反転部の動作が設定される。
【００４８】
画像面付け処理では、第１、２画像形成装置各々の反転部の動作の設定に基づいて、第１画像形成装置において画像を形成する用紙面（表面／裏面）が設定される。
【００４９】
表面とは、例えば、用紙の両面に画像が形成される場合には、ページ番号が小さい方のページ情報に関連付けられた圧縮画像データに基づく画像（表面画像）が形成される用紙面であり、用紙の片面に画像が形成される場合には、ページ情報に関連付けられた圧縮画像データに基づく画像が形成される用紙面である。
裏面とは、例えば、用紙の両面に画像が形成される場合には、ページ番号が大きい方のページ情報に関連付けられた圧縮画像データに基づく画像（裏面画像）が形成される用紙面であり、用紙の片面に画像が形成される場合には、ページ情報に関連付けられた圧縮画像データに基づく画像が形成されない用紙面である。
【００５０】
例えば、用紙搬送方向の上流側に設けられた第１画像形成装置が、自装置の給紙部又は給紙装置１０により用紙の両面に画像が形成される用紙が給紙され、下流側に設けられた第２画像形成装置が自装置の給紙部により用紙の片面に画像が形成される用紙が給紙されるジョブを実行する場合には、第１画像形成装置の反転部及び第２画像形成装置の反転部の動作が、用紙の表裏を反転させる反転搬送に設定され、用紙の両面に画像が形成される用紙に対して、第１画像形成装置では画像を形成する用紙面が裏面に設定される。
【００５１】
不揮発メモリ２５１は、画像形成に係る各種処理プログラム及び各種データの他、本実施の形態に係る反転設定処理プログラム、画像面付け処理プログラム、各種プログラムで処理されたデータ等を記憶する。また、不揮発メモリ２５１は、給紙装置１０、自装置の給紙部、第２画像形成装置の給紙部が、それぞれ備える給紙トレイ毎に格納されている用紙の種類の情報を記憶している。
【００５２】
ＲＡＭ２５２は、制御部２５０により実行される各種プログラム及びこれらプログラムに係る各種データ等を一時的に記憶するワークエリアを形成する。
また、ＲＡＭ２５２は、コントローラ２４から入力された画像データ及びプリント設定データ、又は、画像読取部２１から入力された画像データ及び当該画像データが取得される際に操作表示部２２により設定された設定情報、に基づいて制御部２５０により生成されたジョブデータを一時的に記憶する。
【００５３】
読取処理部２５３は、画像読取部２１から入力されるアナログ画像データに、アナログ処理、Ａ／Ｄ変換処理、シェーディング処理等の各種処理を施した後、デジタル画像データを生成する。生成された画像データは、圧縮ＩＣ２５４に出力される。
【００５４】
圧縮ＩＣ２５４は、入力されたデジタル画像データに圧縮処理を施してＤＲＡＭ制御ＩＣ２５５に出力する。
【００５５】
ＤＲＡＭ制御ＩＣ２５５は、制御部２５０からの指示に従って、圧縮ＩＣ２５４による画像データの圧縮処理及び伸長ＩＣ２５７による圧縮画像データの伸長処理を制御するとともに、画像メモリ２５６への画像データの入出力制御を行う。
【００５６】
例えば、ＤＲＡＭ制御ＩＣ２５５は、画像読取部２１により読み取られた画像データの保存指示が制御部２５０から入力されると、読取処理部２５３に入力された画像データの圧縮処理を圧縮ＩＣ２５４により実行させて、圧縮画像データを画像メモリ２５６の圧縮メモリ２５６ａに記憶させる。また、ＤＲＡＭ制御ＩＣ２５５は、コントローラ２４のＤＲＡＭ制御ＩＣ２４２から画像データが入力されると、当該画像データの圧縮処理を圧縮ＩＣ２５４により実行させ、圧縮画像データを画像メモリ２５６の圧縮メモリ２５６ａに記憶させる。
【００５７】
更に、ＤＲＡＭ制御ＩＣ２５５は、圧縮メモリ２５６ａに記憶された圧縮画像データのプリント出力指示が制御部２５０から入力されると、圧縮メモリ２５６ａから圧縮画像データを読み出し、伸長ＩＣ２５７により伸長処理を施してページメモリ２５６ｂに記憶させる。さらに、ページメモリ２５６ｂに記憶された画像データのプリント出力指示が入力されると、ページメモリ２５６ｂから画像データを読み出して書込処理部２５８に出力する。
【００５８】
画像メモリ２５６は、ＤＲＡＭ（Dynamic RAM）から構成される圧縮メモリ２５６ａとページメモリ２５６ｂとを備える。圧縮メモリ２５６ａは、圧縮画像データを記憶するためのメモリであり、ページメモリ２５６ｂは、プリント出力用の画像データを一時的に記憶、又は、コントローラから受信した画像データを圧縮前に一時的に記憶するためのメモリである。
【００５９】
伸長ＩＣ２５７は、圧縮画像データに伸長処理を施す。
【００６０】
書込処理部２５８は、ＤＲＡＭ制御ＩＣ２５５から入力された画像データに基づいて、画像形成のための印刷画像データを生成し、プリント部２３に出力する。
【００６１】
通信部２６は、画像形成システム１を構成する各装置が接続されたネットワークに接続するための通信インターフェイスであり、各装置と各種データ送受信する。
【００６２】
図３に、本実施の形態における第２画像形成装置３０の概略構成図を示す。
図３に示すように、第２画像形成装置３０は、プリント部３３、画像制御基板３５、通信部３６等を備えて構成されている。
【００６３】
プリント部３３は、第１画像形成装置２０のプリント部２３と同様の構成であるため、説明は省略する。
【００６４】
画像制御基板３５は、制御部３５０、不揮発メモリ３５１、ＲＡＭ３５２、ＤＲＡＭ制御ＩＣ３５５、画像メモリ３５６、伸長ＩＣ３５７、書込処理部３５８等を備える。
【００６５】
制御部３５０は、ＣＰＵ等から構成され、不揮発メモリ３５１に記憶されているシステムプログラム及び各種アプリケーションプログラムの中から指定されたプログラムを読み出してＲＡＭ３５２に展開し、ＲＡＭ３５２に展開されたプログラムとの協働で、各種処理を実行し、第２画像形成装置３０の各部を集中制御する。
【００６６】
また、制御部３５０は、第１画像形成装置２０が生成したジョブデータ及び圧縮画像データに基づいて、第１画像形成装置２０と協働してジョブを実行する。
制御部３５０は、ジョブを実行する際に、不揮発メモリ３５１から本実施の形態に係る画像面付け処理プログラム、当該プログラム及び各種データとの協働により、画像面付け処理を実行し、画像面付け制御部としての機能を実現する。
【００６７】
画像面付け処理では、第１、２画像形成装置各々の反転部の動作の設定に基づいて、第２画像形成装置において画像を形成する用紙面（表面／裏面）が設定される。
【００６８】
例えば、用紙搬送方向の上流側に設けられた第１画像形成装置が給紙部又は給紙装置１０により用紙の両面に画像が形成される用紙が給紙され、下流側に設けられた第２画像形成装置が給紙部により用紙の片面に画像が形成される用紙が給紙されるジョブを実行する場合において、第１画像形成装置の反転部及び第２画像形成装置の反転部の動作が、用紙の表裏を反転させる反転搬送に設定された場合、用紙の両面に画像が形成される用紙に対して、第２画像形成装置では画像を形成する用紙面が表面に設定される。
【００６９】
不揮発メモリ３５１は、画像形成に係る各種処理プログラム及び各種データの他、本実施の形態に係る画像面付け処理プログラム、各種プログラムで処理されたデータ等を記憶する。
【００７０】
ＲＡＭ３５２は、制御部３５０により実行される各種プログラム及びこれらプログラムに係る各種データ等を一時的に記憶するワークエリアを形成する。
また、ＲＡＭ３５２には、通信部３６を介して第１画像形成装置２０から入力されたジョブデータを一時的に記憶する。
【００７１】
ＤＲＡＭ制御ＩＣ３５５は、制御部３５０からの指示に従って、伸長ＩＣ３５７による圧縮画像データの伸長処理を制御するとともに、画像メモリ３５６への画像データの入出力制御を行う。
【００７２】
例えば、ＤＲＡＭ制御ＩＣ３５５は、通信部３６からジョブデータ及び圧縮画像データが入力されると、ジョブデータをＲＡＭ３５２に、圧縮画像データを画像メモリ３５６の圧縮メモリ３５６ａにそれぞれ記憶させる。
また、ＤＲＡＭ制御ＩＣ３５５は、圧縮メモリ３５６ａに記憶された圧縮画像データのプリント出力指示が制御部３５０から入力されると、圧縮メモリ３５６ａから圧縮画像データを読み出し、伸長ＩＣ３５７により伸長処理を施してページメモリ３５６ｂに記憶させる。さらに、ページメモリ３５６ｂに記憶された画像データのプリント出力指示が入力されると、ページメモリ３５６ｂから画像データを読み出して書込処理部３５８に出力する。
【００７３】
画像メモリ３５６は、ＤＲＡＭ（Dynamic RAM）から構成される圧縮メモリ３５６ａとページメモリ３５６ｂとを備える。圧縮メモリ３５６ａは、圧縮画像データを記憶するためのメモリであり、ページメモリ３５６ｂは、プリント出力用の画像データを一時的に記憶するためのメモリである。
【００７４】
伸長ＩＣ３５７は、圧縮画像データに伸長処理を施す。
【００７５】
書込処理部３５８は、ＤＲＡＭ制御ＩＣ３５５から入力された画像データに基づいて、画像形成のための印刷画像データを生成し、プリント部３３に出力する。
【００７６】
通信部３６は、画像形成システム１を構成する各装置が接続されたネットワークに接続するための通信インターフェイスであり、各装置と各種データ送受信する。
【００７７】
次に、本実施の形態の動作を説明する。
図４に、第１画像形成装置において実行される反転設定処理のフローチャートを示す。図４に示す反転設定処理は、第１画像形成装置２０の制御部２５０において実行される場合を示し、制御部２５０と各部とが協働して実行する。
【００７８】
まず、制御部２５０は、実行するジョブのジョブデータを取得する（ステップＳ１）。なお、連続して複数のジョブを実行する場合、制御部２５０は、ステップＳ１において連続して実行する複数のジョブのジョブデータ全てを取得する。
なお、ステップＳ１において取得されたジョブデータは、第２画像形成装置へ送信される。第２画像形成装置では、第１画像形成装置から受信したジョブデータがＲＡＭ３５２に記憶される。
【００７９】
制御部２５０は、ステップＳ１において取得したジョブデータを参照して、第１画像形成装置の給紙部又は給紙装置（以下、第１画像形成装置の給紙部又は給紙装置を総称して、第１画像形成装置の給紙部と称する）が、両面に画像が形成される用紙（両面プリント紙）を給紙する場合があるか否かを判別する（ステップＳ２）。
【００８０】
ステップＳ２では、ジョブデータに含まれる各ページ情報を参照し、給紙トレイが第１画像形成装置の給紙部内の給紙トレイ又は給紙装置内の給紙トレイ、かつ、プリントモードが両面、に設定されているページ情報がある場合、第１画像形成装置の給紙部が両面プリント紙を給紙する場合があると判別される。
【００８１】
第１画像形成装置の給紙部が両面プリント紙を給紙する場合がある場合（ステップＳ２；ＹＥＳ）、制御部２５０は、第１画像形成装置の反転部２３２ｂの動作を用紙の表裏を反転させて搬送する動作（反転搬送）に設定し（ステップＳ３）、ステップＳ７の処理に進む。
【００８２】
第１画像形成装置の給紙部が両面プリント紙を給紙する場合がない場合、即ち、第１画像形成装置の給紙部が片面に画像が形成される用紙（片面プリント紙）のみを給紙する場合（ステップＳ２；ＮＯ）、制御部２５０は、ステップＳ１において取得したジョブデータを参照して、第２画像形成装置の給紙部が両面プリント紙のみを給紙するか否かを判別する（ステップＳ４）。
【００８３】
ステップＳ４では、ジョブデータに含まれる各ページ情報を参照し、給紙トレイが第２画像形成装置の給紙部内の給紙トレイに設定されているページ情報全てが、プリントモードが両面に設定されている場合、第２画像形成装置の給紙部が両面プリント紙のみを給紙すると判別される。
【００８４】
第２画像形成装置の給紙部が両面プリント紙のみを給紙する場合（ステップＳ４；ＹＥＳ）、制御部２５０は、第１画像形成装置の反転部２３２ｂの動作を反転搬送に設定し（ステップＳ５）、ステップＳ７の処理に進む。
【００８５】
第２画像形成装置の給紙部が両面プリント紙のみを給紙しない場合、即ち、第２画像形成装置が片面プリント紙も給紙する場合がある場合（ステップＳ４；ＮＯ）、制御部２５０は、第１画像形成装置の反転部２３２ｂの動作を用紙の表裏を反転せずに搬送する動作（ストレート搬送）に設定し（ステップＳ６）、ステップＳ７の処理に進む。
【００８６】
制御部２５０は、ステップＳ３、ステップＳ５又はステップＳ６後、ステップＳ１において取得したジョブデータを参照して、第２画像形成装置により当該第２画像形成装置の給紙部が片面プリント紙を給紙する場合があるか否かを判別する（ステップＳ７）。
【００８７】
ステップＳ７では、ジョブデータに含まれる各ページ情報を参照し、給紙トレイが第２画像形成装置の給紙部内の給紙トレイ、かつ、プリントモードが片面、に設定されているページ情報がある場合、第２画像形成装置の給紙部が片面プリント紙を給紙する場合があると判別される。
【００８８】
第２画像形成装置の給紙部が片面プリント紙を給紙する場合がある場合（ステップＳ７；ＹＥＳ）、制御部２５０は、第２画像形成装置の反転部の動作を反転搬送に設定し（ステップＳ８）、反転設定処理を終了する。
【００８９】
第２画像形成装置の給紙部が片面プリント紙を給紙する場合がない場合（ステップＳ７；ＮＯ）、制御部２５０は、第２画像形成装置の反転部の動作をストレート搬送に設定し（ステップＳ９）、反転設定処理を終了する。
【００９０】
制御部２５０は、反転設定処理を終了すると、当該反転設定処理の結果をＲＡＭ２５２に記憶し、第２画像形成装置へ当該反転設定処理の結果を送信する。また、制御部２５０は、自装置の反転部に反転設定処理によって設定した動作を指示する。
第２画像形成装置の制御部は、第１画像形成装置から受信した反転設定処理の結果をＲＡＭ３５２に記憶し、第２画像形成装置の反転部に、反転設定処理によって設定された動作を指示する。
【００９１】
図５及び図６に、反転設定処理後に実行されるジョブ実行処理のフローチャートを示す。ジョブ実行処理は、ステップＳ１において取得したジョブデータに基づいてジョブを実行する処理であり、第１画像形成装置と第２画像形成装置とが動作タイミングの同期を図って協働して実行される。
【００９２】
図５に示すジョブ実行処理は、第１画像形成装置２０の制御部２５０において実行される場合を示し、制御部２５０と各部とが協働して実行する。図６に示すジョブ実行処理は、第２画像形成装置３０の制御部３５０において実行される場合を示し、制御部３５０と各部とが協働して実行する。具体的には、第１画像形成装置と第２画像形成装置とは、同一のページ情報を取得して、当該取得したページ情報に基づいてジョブ実行処理を実行する。
【００９３】
まず、図５を参照して第１画像形成装置２０において実行されるジョブ実行処理を説明する。
制御部２５０は、第２画像形成装置と同期を図り、ステップＳ１において取得したジョブデータに含まれるページ情報のうち、未参照の１つのページ情報を取得する。また、当該ページ情報に設定されている１枚の用紙に画像を形成する他のページ情報がある場合には、当該他のページ情報も取得する（ステップＳ１１）。
他のページ情報としては、例えば、取得したページ情報のプリントモードが両面である場合、当該ページ情報の次のページ番号のページ情報である。
【００９４】
制御部２５０は、ステップＳ１１において取得したページ情報を参照して、第１画像形成装置によって当該ページ情報によって画像が形成される用紙の給紙タイミングか否かを判別する（ステップＳ１２）。
【００９５】
第１画像形成装置による用紙の給紙タイミングではない場合（ステップＳ１２；ＮＯ）、制御部２５０は、ステップＳ１４の処理に進む。第１画像形成装置による用紙の給紙タイミングである場合（ステップＳ１２；ＹＥＳ）、制御部２５０は、ステップＳ１１において取得したページ情報を参照して、第１画像形成装置の給紙部又は給紙装置に対して当該ページ情報に設定されている用紙の給紙動作を指示する（ステップＳ１３）。
【００９６】
給紙動作が指示された給紙部又は給紙装置は、ステップＳ１１において取得したページ情報に設定されている用紙が格納されている給紙トレイから１枚の用紙を第１画像形成装置内の用紙搬送部へ搬送する。また、用紙搬送部は、給紙部から搬送された用紙をレジストローラへ搬送する。
【００９７】
制御部２５０は、ステップＳ１２；ＮＯ後、又は、ステップＳ１３後、ステップＳ１１において取得したページ情報と用紙搬送経路上の各種用紙検出センサからの検出信号とに基づいて、第１画像形成装置での画像形成タイミングか否かを判別する（ステップＳ１４）。第１画像形成装置での画像形成タイミングではない場合（ステップＳ１４；ＮＯ）、制御部２５０は、ステップＳ１６の処理に進む。第１画像形成装置による画像形成タイミングである場合（ステップＳ１４；ＹＥＳ）、制御部２５０は、後述する第１画像形成装置の画像形成処理を実行する（ステップＳ１５）。
【００９８】
ステップＳ１５において実行される第１画像形成装置の画像形成処理では、ステップＳ１１において取得したページ情報に設定された用紙に対して、当該ページ情報に関連付けられた圧縮画像データに基づく画像が形成される。このとき、画像を形成する用紙面（表面／裏面）の設定を行なう画像面付け処理（図７参照）が実行され、当該画像面付け処理によって設定された用紙面に画像が形成される。
【００９９】
制御部２５０は、ステップＳ１４；ＮＯ後、又は、ステップＳ１５後、ステップＳ１１において取得したページ情報と用紙搬送経路上の各種用紙検出センサからの検出信号とに基づいて、第１画像形成装置での排紙タイミングか否かを判別する（ステップＳ１６）。第１画像形成装置での排紙タイミングではない場合（ステップＳ１６；ＮＯ）、制御部２５０は、ステップＳ１８の処理に進む。第１画像形成装置による排紙タイミングである場合（ステップＳ１６；ＹＥＳ）、制御部２５０は、用紙搬送部に対して用紙の排紙動作を指示する（ステップＳ１７）。ステップＳ１７では、反転設定処理によって設定された反転部の動作に応じて、用紙が第２画像形成装置へ搬出される。
【０１００】
制御部２５０は、ステップＳ１６；ＮＯ後、又は、ステップＳ１７後、ステップＳ１において取得したジョブデータに含まれるページ情報を参照し、未取得のページ情報があるか否かの判別結果に基づいて、ジョブデータに含まれるページ情報に設定されている用紙のうち、画像が形成されていない（未プリント）の用紙があるか否かを判別する（ステップＳ１８）。
【０１０１】
ステップＳ１８では、未取得のページ情報がある場合には、当該未取得のページ情報に設定された用紙に対して、当該ページ情報に基づいて画像が形成されていないと判別できるため、未プリントの用紙があると判別される。
【０１０２】
未プリントの用紙がある場合（ステップＳ１８；ＹＥＳ）、制御部２５０は、ステップＳ１１の処理に戻る。未プリントの用紙がない場合（ステップＳ１８；ＮＯ）、制御部２５０は、ジョブ実行処理を終了する。
【０１０３】
次に、図６を参照して第２画像形成装置３０おいて実行されるジョブ実行処理を説明する。
制御部３５０は、第１画像形成装置と同期を図り、第１画像形成装置から受信したジョブデータを参照し、当該ジョブデータに含まれるページ情報のうち、未参照の１つのページ情報を取得する。また、当該ページ情報に設定されている１枚の用紙に画像を形成する他のページ情報がある場合には、当該他のページ情報も取得する（ステップＳ２１）。
【０１０４】
ジョブ実行処理が第１画像形成装置と同期を図って実行される処理であることから、ステップＳ２１において取得されるページ情報は、第１画像形成装置でのステップＳ１１において取得されるページ情報と同一のページ情報である。
【０１０５】
制御部３５０は、ステップＳ２１において取得したページ情報を参照して、第２画像形成装置によって当該ページ情報によって画像が形成される用紙の給紙タイミングか否かを判別する（ステップＳ２２）。
【０１０６】
第２画像形成装置による用紙の給紙タイミングではない場合（ステップＳ２２；ＮＯ）、制御部３５０は、ステップＳ２４の処理に進む。第２画像形成装置による用紙の給紙タイミングである場合（ステップＳ２２；ＹＥＳ）、制御部３５０は、ステップＳ２１において取得したページ情報を参照して、第２画像形成装置の給紙部に対して当該ページ情報に設定されている用紙の給紙動作を指示する（ステップＳ２３）。
【０１０７】
給紙動作が指示された給紙部は、ステップＳ２１において取得したページ情報に設定されている用紙が格納されている給紙トレイから１枚の用紙を第２画像形成装置内の用紙搬送部へ搬送する。用紙搬送部は、給紙部から搬送された用紙又は第１画像形成装置から搬送された用紙をレジストローラへ搬送する。
【０１０８】
制御部３５０は、ステップＳ２２；ＮＯ後、又は、ステップＳ２３後、ステップＳ２１において取得したページ情報と用紙搬送経路上の各種用紙検出センサからの検出信号とに基づいて、第２画像形成装置での画像形成タイミングか否かを判別する（ステップＳ２４）。第２画像形成装置での画像形成タイミングではない場合（ステップＳ２４；ＮＯ）、制御部３５０は、ステップＳ２６の処理に進む。第２画像形成装置による画像形成タイミングである場合（ステップＳ２４；ＹＥＳ）、制御部３５０は、後述する第２画像形成装置の画像形成処理を実行する（ステップＳ２５）。
【０１０９】
ステップＳ２５において実行される第２画像形成装置の画像形成処理では、ステップＳ２１において取得したページ情報に設定された用紙に対して、当該ページ情報に関連付けられた圧縮画像データに基づく画像が形成される。このとき、画像を形成する用紙面（表面／裏面）の設定を行なう画像面付け処理（図８参照）が実行され、当該画像面付け処理によって設定された用紙面に画像が形成される。
【０１１０】
制御部３５０は、ステップＳ２４；ＮＯ後、又は、ステップＳ２５後、ステップＳ２１において取得したページ情報と用紙搬送経路上の各種用紙検出センサからの検出信号とに基づいて、第２画像形成装置での排紙タイミングか否かを判別する（ステップＳ２６）。第２画像形成装置での排紙タイミングではない場合（ステップＳ２６；ＮＯ）、制御部３５０は、ステップＳ２８の処理に進む。第２画像形成装置による排紙タイミングである場合（ステップＳ２６；ＹＥＳ）、制御部３５０は、用紙搬送部に対して用紙の排紙動作を指示する（ステップＳ２７）。ステップＳ２７では、反転設定処理によって設定された反転部の動作に応じて、用紙が後処理装置へ搬出される。
後処理装置へ搬出された用紙は、表面が下面となった状態で排紙トレイ上に排出される。
【０１１１】
制御部３５０は、ステップＳ２６；ＮＯ後、又は、ステップＳ２７後、第１画像形成装置から受信したジョブデータに含まれるページ情報を参照し、未取得のページ情報があるか否かの判別結果に基づいて、ジョブデータに含まれるページ情報に設定されている用紙のうち、未プリントの用紙があるか否かを判別する（ステップＳ２８）。
なお、ステップＳ２８は、ステップＳ１８と同様であるため、詳細な説明は省略する。
【０１１２】
未プリントの用紙がある場合（ステップＳ２８；ＹＥＳ）、制御部３５０は、ステップＳ２１の処理に戻る。未プリントの用紙がない場合（ステップＳ２８；ＮＯ）、制御部３５０は、ジョブ実行処理を終了する。
【０１１３】
図７に、第１画像形成装置において実行される画像面付け処理のフローチャートを示す。図７に示す画像面付け処理は、第１画像形成装置２０の制御部２５０において実行される場合を示し、制御部２５０と各部とが協働して実行する。
【０１１４】
制御部２５０は、ステップＳ１３において給紙された用紙が両面プリント紙であるか否かを判別する（ステップＳ３１）。ステップＳ３１では、ステップＳ１１において取得したページ情報を参照し、プリントモードが両面に設定されている場合、両面プリント紙であると判別される。
【０１１５】
給紙された用紙が両面プリント紙である場合（ステップＳ３１；ＹＥＳ）、制御部２５０は、第２画像形成装置の反転部の動作が反転搬送に設定されているか否かを判別する（ステップＳ３２）。
【０１１６】
第２画像形成装置の反転部の動作が反転搬送に設定されている場合（ステップＳ３２；ＹＥＳ）、制御部２５０は、画像を形成する用紙面を裏面に設定し、ステップＳ１１において取得したページ情報に関連付けられた圧縮画像データのうち用紙の裏面に形成される圧縮画像データ（例えば、ページ番号が大きい方のページ情報の圧縮画像データ）を展開し、当該裏面の圧縮画像データに基づいて画像形成部による裏面画像の形成を実行させ（ステップＳ３３）、画像面付け処理を終了する。
【０１１７】
第２画像形成装置の反転部の動作が反転搬送に設定されていない場合、即ち、ストレート搬送に設定されている場合（ステップＳ３２；ＮＯ）、制御部２５０は、画像を形成する用紙面を表面に設定し、ステップＳ１１において取得したページ情報に関連付けられた圧縮画像データのうち用紙の表面に形成される圧縮画像データ（例えば、ページ番号が小さい方の圧縮画像データ）を展開し、当該表面の圧縮画像データに基づいて画像形成部による表面画像の形成を実行させ（ステップＳ３４）、画像面付け処理を終了する。
【０１１８】
給紙された用紙が両面プリント紙でない場合、即ち、片面プリント紙である場合（ステップＳ３１；ＮＯ）、制御部２５０は、第１画像形成装置の反転部の動作が反転搬送に設定されているか否かを判別する（ステップＳ３５）。
【０１１９】
第２画像形成装置の反転部の動作が反転搬送に設定されている場合（ステップＳ３５；ＹＥＳ）、制御部２５０は、第２画像形成装置の反転部の動作が反転搬送に設定されているか否かを判別する（ステップＳ３６）。
【０１２０】
第２画像形成装置の反転部の動作が反転搬送に設定されている場合（ステップＳ３６；ＹＥＳ）、制御部２５０は、画像を形成する用紙面を設定せず、画像形成部による画像の形成を実行させず、給紙された用紙を画像形成部及び定着部を通過させて（ステップＳ３７）、画像面付け処理を終了する。
【０１２１】
第２画像形成装置の反転部の動作が反転搬送に設定されていない場合、即ち、ストレート搬送に設定されている場合（ステップＳ３６；ＮＯ）、制御部２５０は、画像を形成する用紙面を表面に設定し、ステップＳ１１において取得したページ情報に関連付けられた圧縮画像データを展開し、当該圧縮画像データに基づいて画像形成部による表面画像の形成を実行させ（ステップＳ３８）、画像面付け処理を終了する。
【０１２２】
第２画像形成装置の反転部の動作が反転搬送に設定されていない場合、即ち、ストレート搬送に設定されている場合（ステップＳ３５；ＮＯ）、制御部２５０は、ステップＳ３８と同様の処理を実行し（ステップＳ３９）、画像面付け処理を終了する。
【０１２３】
図８に、第２画像形成装置において実行される画像面付け処理のフローチャートを示す。図８に示す画像面付け処理は、第２画像形成装置３０の制御部３５０において実行される場合を示し、制御部３５０と各部とが協働して実行する。
【０１２４】
制御部３５０は、第２画像形成装置での画像形成タイミングのときにレジストローラの位置に搬送されている用紙が両面プリント紙であるか否かを判別する（ステップＳ４１）。ステップＳ４１では、ステップＳ２１において取得したページ情報を参照し、プリントモードが両面に設定されている場合、両面プリント紙であると判別される。
【０１２５】
搬送された用紙が両面プリント紙である場合（ステップＳ４１；ＹＥＳ）、制御部３５０は、第２画像形成装置の反転部の動作が反転搬送に設定されているか否かを判別する（ステップＳ４２）。
【０１２６】
第２画像形成装置の反転部の動作が反転搬送に設定されている場合（ステップＳ４２；ＹＥＳ）、制御部３５０は、第２画像形成装置での画像形成タイミングのときにレジストローラの位置に搬送されている用紙が第１画像形成装置から給紙された用紙であるか否かを判別する（ステップＳ４３）。
【０１２７】
ステップＳ４３では、ステップＳ２１において取得したページ情報を参照し、当該ページ情報に設定されている用紙が格納されている給紙トレイが第１画像形成装置内又は給紙装置内の給紙トレイである場合、第１画像形成装置から給紙された用紙であると判別される。
【０１２８】
用紙が第１画像形成装置から給紙された場合（ステップＳ４３；ＹＥＳ）、制御部３５０は、画像を形成する用紙面を表面に設定し、ステップＳ２１において取得したページ情報に関連付けられた圧縮画像データのうち用紙の表面に形成される圧縮画像データを展開し、当該表面の圧縮画像データに基づいて画像形成部による表面画像の形成を実行させ（ステップＳ４４）、画像面付け処理を終了する。
【０１２９】
用紙が第１画像形成装置から給紙されていない場合、即ち、第２画像形成装置から給紙された場合（ステップＳ４３；ＮＯ）、制御部３５０は、反転部３３２ｂによる反転搬送前に画像を形成する用紙面（ＳＩＤＥ１）を裏面、反転搬送後に画像を形成する用紙面（ＳＩＤＥ２）を表面に設定し、ステップＳ２１において取得したページ情報に関連付けられた圧縮画像データに基づいて裏面画像、表面画像の順番で画像形成部による画像形成を実行させ（ステップＳ４５）、画像面付け処理を終了する。
【０１３０】
ステップＳ４５では、制御部３５０は、ステップＳ２１において取得したページ情報に関連付けられた圧縮画像データのうち用紙の裏面に形成される圧縮画像データを展開し、当該裏面の圧縮画像データに基づいて画像形成部による裏面画像の形成を実行させる。その後、裏面画像が形成された用紙は、反転部３３２ｂにより表裏が反転され循環経路部を経て、再度、レジストローラの位置へ再給紙される。制御部３５０は、ステップＳ２１において取得したページ情報に関連付けられた圧縮画像データのうち用紙の表面に形成される圧縮画像データを展開し、当該表面の圧縮画像データに基づいて画像形成部による表面画像の形成を実行させる。裏面及び表面画像が形成された用紙は、反転部３３２ｂにより表裏が反転され後処理装置へ搬送される。
【０１３１】
第２画像形成装置の反転部の動作が反転搬送に設定されていない場合、即ち、ストレート搬送に設定されている場合（ステップＳ４２；ＮＯ）、制御部３５０は、第２画像形成装置での画像形成タイミングのときにレジストローラの位置に搬送されている用紙が第１画像形成装置から給紙された用紙であるか否かを判別する（ステップＳ４６）。
なお、ステップＳ４６は、ステップＳ４３と同様であるため、詳細な説明は省略する。
【０１３２】
用紙が第１画像形成装置から給紙された場合（ステップＳ４６；ＹＥＳ）、制御部３５０は、画像を形成する用紙面を裏面に設定し、ステップＳ２１において取得したページ情報に関連付けられた圧縮画像データのうち用紙の裏面に形成される圧縮画像データを展開し、当該裏面の圧縮画像データに基づいて画像形成部による裏面画像の形成を実行させ（ステップＳ４７）、画像面付け処理を終了する。
【０１３３】
用紙が第１画像形成装置から給紙されていない場合、即ち、第２画像形成装置から給紙された場合（ステップＳ４６；ＮＯ）、制御部３５０は、反転部３３２ｂによる反転搬送前に画像を形成する用紙面（ＳＩＤＥ１）を表面、反転搬送後に画像を形成する用紙面（ＳＩＤＥ２）を裏面に設定し、ステップＳ２１において取得したページ情報に関連付けられた圧縮画像データに基づいて表面画像、裏面画像の順番で画像形成部による画像形成を実行させ（ステップＳ４８）、画像面付け処理を終了する。
【０１３４】
ステップＳ４８では、制御部３５０は、ステップＳ２１において取得したページ情報に関連付けられた圧縮画像データのうち用紙の表面に形成される圧縮画像データを展開し、当該表面の圧縮画像データに基づいて画像形成部による表面画像の形成を実行させる。その後、表面画像が形成された用紙は、反転部３３２ｂにより表裏が反転され循環経路部を経て、再度、レジストローラの位置へ再給紙される。制御部３５０は、ステップＳ２１において取得したページ情報に関連付けられた圧縮画像データのうち用紙の裏面に形成される圧縮画像データを展開し、当該裏面の圧縮画像データに基づいて画像形成部による表面画像の形成を実行させる。表面及び裏面画像が形成された用紙は、反転部３３２ｂにより表裏が反転され後処理装置へ搬送される。
【０１３５】
搬送された用紙が両面プリント紙でない場合、即ち、片面プリント紙である場合（ステップＳ４１；ＮＯ）、制御部３５０は、第２画像形成装置の反転部の動作が反転搬送に設定されているか否かを判別する（ステップＳ４９）。
【０１３６】
第２画像形成装置の反転部の動作が反転搬送に設定されていない場合、即ち、ストレート搬送に設定されている場合（ステップＳ４９；ＮＯ）、制御部３５０は、画像を形成する用紙面を設定せず、画像形成部による画像の形成を実行させず、給紙された用紙を画像形成部及び定着部を通過させて（ステップＳ５０）、画像面付け処理を終了する。
【０１３７】
第２画像形成装置の反転部の動作が反転搬送に設定されている場合（ステップＳ４９；ＹＥＳ）、制御部３５０は、第２画像形成装置での画像形成タイミングのときにレジストローラの位置に搬送されている用紙が第１画像形成装置から給紙された用紙であるか否かを判別する（ステップＳ５１）。
なお、ステップＳ５１は、ステップＳ４３と同様であるため、詳細な説明は省略する。
【０１３８】
用紙が第１画像形成装置から給紙されていない場合、即ち、第２画像形成装置から給紙された場合（ステップＳ５１；ＮＯ）、制御部３５０は、ステップＳ５３の処理に進む。
【０１３９】
用紙が第１画像形成装置から給紙された場合（ステップＳ５１；ＹＥＳ）、制御部３５０は、第１画像形成装置の反転部の動作が反転搬送に設定されているか否かを判別する（ステップＳ５２）。
【０１４０】
第１画像形成装置の反転部の動作が反転搬送に設定されていない場合、即ち、ストレート搬送に設定されている場合（ステップＳ５２；ＮＯ）、制御部３５０は、ステップＳ５０の処理に進む。
【０１４１】
ステップＳ５１；ＮＯ後、又は、第１画像形成装置の反転部の動作が反転搬送に設定されている場合（ステップＳ５２；ＹＥＳ）、制御部３５０は、画像を形成する用紙面を表面に設定し、ステップＳ２１において取得したページ情報に関連付けられた圧縮画像データに基づいて画像形成部による表面画像の形成を実行させ（ステップＳ５３）、画像面付け処理を終了する。
【０１４２】
図８に示すように、反転設定処理により、片面プリント紙を給紙する画像形成装置の反転部の動作が反転搬送に設定され、当該画像形成装置が、用紙の両面に画像が形成される用紙に対していずれか一方の用紙面に画像を形成する場合には、画像面付け処理によって、片面プリント紙に対して画像を形成する用紙面（表面）と同一の用紙面が、画像を形成する用紙面に設定されることとなる。
【０１４３】
図９に、本実施の形態における反転設定処理及び画像面付け処理の処理結果（Ｎｏ．１〜９）の一覧表を示す。
図９に示す、「給紙する用紙のプリントモード」は、第１、２画像形成装置各々の給紙部が給紙する用紙に対するページ情報に設定されているプリントモード（片面、両面）、即ち、給紙する用紙に画像が形成される用紙面を示している。
また、「反転部の動作」は、反転設定処理により、第１、２画像形成装置各々の反転部に設定された動作（反転搬送、ストレート搬送）を示している。
「画像形成面」は、第１、２画像形成装置各々において実行された画像面付け処理により設定された画像を形成する用紙面（表面、裏面）を示している。
【０１４４】
例えば、図９のＮｏ．１は、第１画像形成装置の給紙部が給紙する用紙のプリントモードが両面、第２画像形成装置の給紙部が給紙する用紙のプリントモードが片面である場合における、第１、２画像形成装置各々の反転部の動作と画像形成面とが示されている。
【０１４５】
Ｎｏ．１の場合、第１画像形成装置の給紙部が両面プリント紙、第２画像形成装置の給紙部が片面プリント紙を給紙する組み合わせであることから、第１、２画像形成装置各々の反転部の動作が反転搬送に設定される。
また、第１画像形成装置の給紙部が両面プリント紙を給紙する場合（第１給紙両面）には、第１画像形成装置では画像形成面が裏面に設定され裏面画像が形成され、第２画像形成装置では画像形成面が表面に設定され表面画像が形成される。
一方、第２画像形成装置の給紙部が片面プリント紙を給紙する場合（第２給紙片面）には、第２画像形成装置では画像形成面が表面に設定され表面画像が形成される。
【０１４６】
具体的には、第１画像形成装置の給紙部から給紙された両面プリント紙は、第１画像形成装置にて裏面画像が形成され、反転部２３２ｂにより反転搬送されることで裏面画像が形成された用紙面と相対する用紙面が上面となり、当該用紙面に第２画像形成部に表面画像が形成される。表面画像が形成された用紙が反転部３３２ｂにより反転搬送されることで裏面画像が形成された用紙面が上面となり、後処理装置へ搬送され、排紙トレイへ排出されることとなる。また、第２画像形成装置の給紙部から給紙された片面プリント紙は、第２画像形成装置にて画像（表面画像）が形成され、反転部３３２ｂにより反転搬送されることで表面画像が形成された用紙面と相対する用紙面が上面となり、後処理装置へ搬送され、排紙トレイへ排出されることとなる。
従って、両面プリント紙と片面プリント紙とが混在するジョブ（又は、連続ジョブ）を実行する場合であっても、排紙トレイに積載される用紙の上面を表面又は裏面のいずれか一方の面に統一することができ、かつ、第１、２画像形成装置各々の反転部の動作の切り替えを排除できる。
【０１４７】
図９のＮｏ．２は、第１画像形成装置の給紙部が給紙する用紙のプリントモードが片面，両面、第２画像形成装置の給紙部が給紙する用紙のプリントモードが片面である場合における、第１、２画像形成装置各々の反転部の動作と画像形成面とが示されている。
【０１４８】
Ｎｏ．２の場合、第１画像形成装置の給紙部が片面プリント紙及び両面プリント紙、第２画像形成装置の給紙部が片面プリント紙、を給紙する組み合わせであることから、第１、２画像形成装置各々の反転部の動作が反転搬送に設定される。
また、第１画像形成装置の給紙部が両面プリント紙を給紙する場合（第１給紙両面）には、第１画像形成装置では画像形成面が裏面に設定され裏面画像が形成され、第２画像形成装置では画像形成面が表面に設定され表面画像が形成される。
一方、第１画像形成装置の給紙部が片面プリント紙を給紙する場合（第１給紙片面）、第２画像形成装置の給紙部が片面プリント紙を給紙する場合（第２給紙片面）には、第１画像形成装置では画像は形成されず、第２画像形成装置では画像形成面が表面に設定され、表面画像が形成される。
【０１４９】
図９のＮｏ．３は、第１、２画像形成装置各々の給紙部が給紙する用紙のプリントモードが片面である場合における、第１、２画像形成装置各々の反転部の動作と画像形成面とが示されている。
【０１５０】
Ｎｏ．３の場合、第１画像形成装置の給紙部が片面プリント紙、第２画像形成装置の給紙部が片面プリント紙を給紙する組み合わせであることから、第１画像形成装置の反転部の動作がストレート搬送、第２画像形成装置の反転部の動作が反転搬送に設定される。
また、第１画像形成装置の給紙部が片面プリント紙を給紙する場合（第１給紙片面）には、第１画像形成装置では画像形成面が表面に設定され表面画像が形成され、第２画像形成装置では画像は形成されない。
一方、第２画像形成装置の給紙部が片面プリント紙を給紙する場合（第２給紙片面）には、第２画像形成装置では画像形成面が表面に設定され、表面画像が形成される。
【０１５１】
図９のＮｏ．４は、第１画像形成装置の給紙部が給紙する用紙のプリントモードが片面、第２画像形成装置の給紙部が給紙する用紙のプリントモードが両面である場合における、第１、２画像形成装置各々の反転部の動作と画像形成面とが示されている。
【０１５２】
Ｎｏ．４の場合、第１画像形成装置の給紙部が片面プリント紙、第２画像形成装置の給紙部が両面プリント紙を給紙する組み合わせであることから、第１画像形成装置の反転部の動作が反転搬送、第２画像形成装置の反転部の動作がストレート搬送に設定される。
また、第１画像形成装置の給紙部が片面プリント紙を給紙する場合（第１給紙片面）には、第１画像形成装置では画像形成面が表面に設定され表面画像が形成され、第２画像形成装置では画像は形成されない。
一方、第２画像形成装置の給紙部が両面プリント紙を給紙する場合（第２給紙両面）には、第２画像形成装置において、反転搬送前の画像形成面が表面、反転搬送後の画像形成面が裏面に設定され、表面画像，裏面画像の順番で画像が形成される。
【０１５３】
図９のＮｏ．５は、第１画像形成装置の給紙部が給紙する用紙のプリントモードが片面、第２画像形成装置の給紙部が給紙する用紙のプリントモードが片面，両面である場合における、第１、２画像形成装置各々の反転部の動作と画像形成面とが示されている。
【０１５４】
Ｎｏ．５の場合、第１画像形成装置の給紙部が片面プリント紙、第２画像形成装置の給紙部が片面プリント紙及び両面プリント紙を給紙する組み合わせであることから、第１画像形成装置の反転部の動作がストレート搬送、第２画像形成装置の反転部の動作が反転搬送に設定される。
また、第１画像形成装置の給紙部が片面プリント紙を給紙する場合（第１給紙片面）には、第１画像形成装置では画像形成面が表面に設定され表面画像が形成され、第２画像形成装置では画像は形成されない。
一方、第２画像形成装置の給紙部が片面プリント紙を給紙する場合（第２給紙片面）には、第２画像形成装置では画像形成面が表面に設定され、表面画像が形成される。
第２画像形成装置の給紙部が両面プリント紙を給紙する場合（第２給紙両面）には、第２画像形成装置において、反転搬送前の画像形成面が裏面、反転搬送後の画像形成面が表面に設定され、裏面画像，表面画像の順番で画像が形成される。
【０１５５】
図９のＮｏ．６は、第１、２画像形成装置各々の給紙部が給紙する用紙のプリントモードが両面である場合における、第１、２画像形成装置各々の反転部の動作と画像形成面とが示されている。
【０１５６】
Ｎｏ．６の場合、第１画像形成装置の給紙部が両面プリント紙、第２画像形成装置の給紙部が両面プリント紙を給紙する組み合わせであることから、第１画像形成装置の反転部の動作が反転搬送、第２画像形成装置の反転部の動作がストレート搬送に設定される。
また、第１画像形成装置の給紙部が両面プリント紙を給紙する場合（第１給紙両面）には、第１画像形成装置では画像形成面が表面に設定され表面画像が形成され、第２画像形成装置では画像形成面が裏面に設定され裏面画像が形成される。
一方、第２画像形成装置の給紙部が両面プリント紙を給紙する場合（第２給紙両面）には、第２画像形成装置において、反転搬送前の画像形成面が表面、反転搬送後の画像形成面が裏面に設定され、表面画像，裏面画像の順番で画像が形成される。
【０１５７】
図９のＮｏ．７は、第１画像形成装置の給紙部が給紙する用紙のプリントモードが両面、第２画像形成装置の給紙部が給紙する用紙のプリントモードが片面，両面である場合における、第１、２画像形成装置各々の反転部の動作と画像形成面とが示されている。
【０１５８】
Ｎｏ．７の場合、第１画像形成装置の給紙部が両面プリント紙、第２画像形成装置の給紙部が片面プリント紙及び両面プリント紙を給紙する組み合わせであることから、第１、２画像形成装置各々の反転部の動作が反転搬送に設定される。
また、第１画像形成装置の給紙部が両面プリント紙を給紙する場合（第１給紙両面）には、第１画像形成装置では画像形成面が裏面に設定され裏面画像が形成され、第２画像形成装置では画像形成面が表面に設定され表面画像が形成される。
一方、第２画像形成装置の給紙部が片面プリント紙を給紙する場合（第２給紙片面）には、第２画像形成装置では画像形成面が表面に設定され、表面画像が形成される。
また、第２画像形成装置の給紙部が両面プリント紙を給紙する場合（第２給紙両面）には、第２画像形成装置において、反転搬送前の画像形成面が裏面、反転搬送後の画像形成面が表面に設定され、裏面画像，表面画像の順番で画像が形成される。
【０１５９】
図９のＮｏ．８は、第１画像形成装置の給紙部が給紙する用紙のプリントモードが片面，両面、第２画像形成装置の給紙部が給紙する用紙のプリントモードが両面である場合における、第１、２画像形成装置各々の反転部の動作と画像形成面とが示されている。
【０１６０】
Ｎｏ．８の場合、第１画像形成装置の給紙部が片面プリント紙及び両面プリント紙、第２画像形成装置の給紙部が両面プリント紙を給紙する組み合わせであることから、第１画像形成装置の反転部の動作が反転搬送、第２画像形成装置の反転部の動作がストレート搬送に設定される。
また、第１画像形成装置の給紙部が両面プリント紙を給紙する場合（第１給紙両面）には、第１画像形成装置では画像形成面が表面に設定され表面画像が形成され、第２画像形成装置では画像形成面が裏面に設定され裏面画像が形成される。
一方、第１画像形成装置の給紙部が片面プリント紙を給紙する場合（第１給紙片面）には、第１画像形成装置では画像形成面が表面に設定され表面画像が形成され、第２画像形成装置では画像は形成されない。
また、第２画像形成装置の給紙部が両面プリント紙を給紙する場合（第２給紙両面）には、第２画像形成装置において、反転搬送前の画像形成面が表面、反転搬送後の画像形成面が裏面に設定され、表面画像，裏面画像の順番で画像が形成される。
【０１６１】
図９のＮｏ．９は、第１画像形成装置の給紙部が給紙する用紙のプリントモードが片面，両面、第２画像形成装置の給紙部が給紙する用紙のプリントモードが片面，両面である場合における、第１、２画像形成装置各々の反転部の動作と画像形成面とが示されている。
【０１６２】
Ｎｏ．９の場合、第１画像形成装置の給紙部が片面プリント紙及び両面プリント紙、第２画像形成装置の給紙部が片面プリント紙及び両面プリント紙を給紙する組み合わせであることから、第１、２画像形成装置各々の反転部の動作が反転搬送に設定される。
また、第１画像形成装置の給紙部が両面プリント紙を給紙する場合（第１給紙両面）には、第１画像形成装置では画像形成面が裏面に設定され裏面画像が形成され、第２画像形成装置では画像形成面が表面に設定され表面画像が形成される。
第１画像形成装置の給紙部が片面プリント紙を給紙する場合（第１給紙片面）、第２画像形成装置の給紙部が片面プリント紙を給紙する場合（第２給紙片面）には、第１画像形成装置では画像は形成されず、第２画像形成装置では画像形成面が表面に設定され表面画像が形成される。
一方、第２画像形成装置の給紙部が両面プリント紙を給紙する場合（第２給紙両面）には、第２画像形成装置において、反転搬送前の画像形成面が裏面、反転搬送後の画像形成面が表面に設定され、裏面画像，表面画像の順番で画像が形成される。
【０１６３】
Ｎｏ．２〜ＮＯ．９の場合でも、Ｎｏ．１の場合と同様に、排紙トレイに積載される用紙の上面が一方の面に統一することができ、かつ、第１、２画像形成装置各々の反転部の動作の切り替えを排除できる。
【０１６４】
以上のように、本実施の形態によれば、画像形成装置各々の給紙部が給紙する用紙に対して画像が形成される用紙面の組み合わせに基づき、画像形成装置各々の反転部の動作を設定した後、当該画像形成装置各々の反転部の動作の設定に基づいて、画像形成装置各々において画像を形成する用紙面を設定することができる。そのため、タンデム方式の画像形成装置において、両面及び片面のプリントモードが混在しているジョブを実行する場合であっても、用紙の反転機構の動作切り替えが不要となるように、各画像形成装置での画像を形成する用紙面（表面／裏面）の設定を効率的に行なうことができ、用紙の反転機構の動作切り替えによる生産性の低下を防止することができる。
【０１６５】
特に、用紙搬送方向の最下流に設置された第２画像形成装置の反転部の動作が反転搬送に設定された場合、用紙の片面に画像を形成する場合及び用紙の両面に画像を形成する場合において、同一の用紙面に画像を形成することができる。そのため、両面及び片面のプリントモードが混在しているジョブを実行する場合であっても、排紙トレイに積載される用紙の上面となる面を統一することができる。
【０１６６】
以上の説明では、本発明に係るプログラムのコンピュータ読み取り可能な媒体として、不揮発メモリ２５１、３５１を使用した例を開示したが、この例に限定されない。
その他のコンピュータ読み取り可能な媒体として、フラッシュメモリ等の不揮発性メモリ、ＣＤ-ＲＯＭ等の可搬型記録媒体を適用することが可能である。
また、本発明に係るプログラムのデータを通信回線を介して提供する媒体として、キャリアウエーブ（搬送波）も本発明に適用される。
【０１６７】
また、本発明は、上記実施の形態の内容に限定されるものではなく、本発明の主旨を逸脱しない範囲で適宜変更可能である。
【符号の説明】
【０１６８】
１  画像形成システム
２  外部装置
３  ネットワーク
１０  給紙装置
２０  第１画像形成装置
２１  画像読取部
２２  操作表示部
２３  プリント部
２４  コントローラ
２５  画像制御基板
２６  通信部
３０  第２画像形成装置
３３  プリント部
３５  画像制御基板
３６  通信部
４０  後処理装置
２１０  画像読取制御部
２１１  ＣＣＤ
２２０  操作表示制御部
２２１  ＬＣＤ
２３０  プリント制御部
２３１  給紙部
２３２  用紙搬送部
２３２ａ  搬送路切替部
２３２ｂ  反転部
２３３  画像形成部
２３３ａ  レジストローラ
２３４  定着部
２４１  コントローラ制御部
２４２  ＤＲＡＭ制御ＩＣ
２４３  画像メモリ
２４４  ＬＡＮＩＦ
２５０  制御部
２５１  不揮発メモリ
２５２  ＲＡＭ
２５３  読取処理部
２５４  圧縮ＩＣ
２５５  ＤＲＡＭ制御ＩＣ
２５６  画像メモリ
２５６ａ  圧縮メモリ
２５６ｂ  ページメモリ
２５７  伸長ＩＣ
２５８  書込処理部
３３１  給紙部
３３２ｂ  反転部
３５０  制御部
３５１  不揮発メモリ
３５２  ＲＡＭ
３５５  ＤＲＡＭ制御ＩＣ
３５６  画像メモリ
３５６ａ  圧縮メモリ
３５６ｂ  ページメモリ
３５７  伸長ＩＣ
３５８  書込処理部
【図１】
2012133168.tif 000003
【図２】
2012133168.tif 000004
【図３】
2012133168.tif 000005
【図４】
2012133168.tif 000006
【図５】
2012133168.tif 000007
【図６】
2012133168.tif 000008
【図７】
2012133168.tif 000009
【図８】
2012133168.tif 000010
【図９】
2012133168.tif 000011